(57)【要約】      （修正有）【課題】上側ケース部が下側ケース部に締結されていない状態において、上側ケース部が上側に凸の反りを有する場合にも、上側ケース部を下側ケース部に締結することによって、上側ケース部の反りを極力小さくすることが可能な電子機器の筐体を提供する。【解決手段】この昇華型プリンタの筐体（電子機器の筐体）は、上側ケース部が下側ケース部に締結されていない状態において、上側ケース部の上側当接面２２ｂは、上側取付部２２の根元部側の表面２２ｃ、および、下側ケース部の下側当接面１２ｂに対して、所定の角度傾斜するように形成され、かつ、上側ケース部が下側ケース部に締結されることによって、上側当接面２２ｂが下側当接面１２ｂに当接された場合に、上側ケース部の反りが相殺される方向に上側ケース部が撓み変形されるように構成されている。【選択図】図５
2008294029.tif 000002
【特許請求の範囲】
【請求項１】
電子機器本体が配置され、下側取付面を有する下側取付部を含む下側ケース部と、
前記下側ケース部に取り付けられるとともに、前記下側ケース部の前記下側取付部に対向する位置に上側取付面を有する上側取付部を含む上側ケース部と、
前記下側取付部および前記上側取付部において前記上側ケース部と前記下側ケース部とを締結する締結部材とを備え、
前記上側ケース部が前記下側ケース部に締結されていない状態において、前記上側ケース部は反りを有するとともに、前記上側取付部の前記上側取付面は、前記上側取付部の根元部側の表面、および、前記下側取付部の前記下側取付面に対して、所定の角度傾斜するように形成され、かつ、前記上側ケース部が前記下側ケース部に締結されることによって、前記所定の角度傾斜された上側取付面が前記下側取付面に当接された場合に、前記上側ケース部の反りが相殺される方向に前記上側ケース部が撓み変形されるように構成されている、電子機器の筐体。
【請求項２】
前記上側ケース部の前記上側取付部は、前記上側ケース部の一方端部、および、前記上側ケース部の反りに対して前記一方端部の反対側の他方端部に、それぞれ少なくとも１つずつ配置されている、請求項１に記載の電子機器の筐体。
【請求項３】
前記下側取付部は、前記上側取付部の位置決めを行うための位置決め部を有する、請求項１または２に記載の電子機器の筐体。
【請求項４】
前記上側取付部および前記下側取付部は、それぞれ前記上側ケース部および前記下側ケース部に一体的に形成されている、請求項１〜３のいずれか１項に記載の電子機器の筐体。
【請求項５】
前記締結部材は、ネジ部材を含む、請求項１〜４のいずれか１項に記載の電子機器の筐体。
【発明の詳細な説明】
【技術分野】
【０００１】
この発明は、電子機器の筐体に関し、特に、下側取付部を含む下側ケース部と、下側ケース部の下側取付部に対向する位置に上側取付部を含む上側ケース部とを備える電子機器の筐体に関する。
【背景技術】
【０００２】
従来、下側取付部を含む下側ケース部と、下側ケース部の下側取付部に対向する位置に上側取付部を含む上側ケース部とを備える電子機器の筐体が知られている（たとえば、特許文献１〜３参照）。
【０００３】
上記特許文献１に記載の電子機器の筐体は、ボトムパネル（下側ケース部）に設けられた複数の支柱によって、トップケース（上側ケース部）が支持されるとともに、ボトムパネルの側面とトップケースの側面とが重なるように配置された筐体の側部において、ビスによってボトムパネルとトップケースとが締結されるように構成されている。これにより、ボトムケースとトップケースとが締結された状態において、筐体の形状を確実に保持することが可能である。
【０００４】
上記特許文献２に記載の電気機器キャビネット（電子機器の筐体）は、板金製のボトムパネル（下側ケース部）およびトップケース（上側ケース部）それぞれの側板が重なるように配置され、その重なり部において頭付き締め付けネジによりそれぞれの側板が互いに当接された状態で締結されるように構成されている。具体的には、ボトムパネルの側板に設けられたネジ挿通孔の周囲が、トップケースの側板と当接する側に突出するように折り曲げられることによって、ネジ挿通孔の周囲が突出したリング状に形成され、そのリング状に突出した部分がトップケースの側板に当接される。これにより、ボトムパネルおよびトップケースの側板が、それぞれ反りを有している場合にも、ボトムパネルとトップケースとを確実に当接させることが可能である。
【０００５】
上記特許文献３に記載のプリント基板が配置されるケース（電子機器の筐体）は、ケース本体（下側ケース部）の相対する２つの側面に、それぞれ外側に突出するようにリブ（下側取付部）が設けられているとともに、ケース本体が取り付けられるダイキャスト（上側ケース部）に、ケース本体のリブがネジにより締結されるように取付部（上側取付部）が設けられている。また、ケース本体のリブの根元部には、リブの断面が小さくなるように切り欠きが設けられ、リブの根元部を容易に曲げ変形させることが可能なように構成されている。これにより、リブを取付部に取り付ける際に、リブが変形された場合にも、リブの変形がケース本体に伝達されずに、ケース本体は変形しないように構成されている。
【０００６】
【特許文献１】特開２００５−２５２０１７号公報
【特許文献２】特開２００５−２２９０２３号公報
【特許文献３】実開平５−３２９号公報
【発明の開示】
【発明が解決しようとする課題】
【０００７】
しかしながら、上記特許文献１では、トップケースがボトムパネルに設けられた支柱によって支持されるので、ボトムケースとトップケースとが締結された状態において、筐体の形状が確実に保持される一方で、トップケースが少なくとも上側に凸に反っている場合に、トップケースの反りを小さくすることができないという問題点がある。
【０００８】
また、上記特許文献２では、ボトムパネルおよびトップケースの側板が、それぞれ反りを有している場合にも、ボトムパネルとトップケースとを確実に当接させることが可能である一方で、トップケースが反りを有している場合に、トップケースの反りを小さくすることができないという問題点がある。
【０００９】
また、上記特許文献３では、リブの根元部が容易に曲げ変形されるように形成されているので、リブを取付部に取り付ける際に、リブが変形された場合にも、リブの変形がケース本体に伝達されずに、ケース本体は変形しない。このため、リブを取付部に取り付ける際に、ケース本体が反りを有している場合に、ケース本体の反りを小さくすることができないという問題点がある。
【００１０】
この発明は、上記のような課題を解決するためになされたものであり、この発明の１つの目的は、上側ケース部が下側ケース部に締結されていない状態において、上側ケース部が上側に凸の反りを有する場合にも、上側ケース部を下側ケース部に締結することによって、上側ケース部の反りを極力小さくすることが可能な電子機器の筐体を提供することである。
【課題を解決するための手段および発明の効果】
【００１１】
この発明の一の局面による電子機器の筐体は、電子機器本体が配置され、下側取付面を有する下側取付部を含む下側ケース部と、下側ケース部に取り付けられるとともに、下側ケース部の下側取付部に対向する位置に上側取付面を有する上側取付部を含む上側ケース部と、下側取付部および上側取付部において上側ケース部と下側ケース部とを締結する締結部材とを備えている。また、上側ケース部が下側ケース部に締結されていない状態において、上側ケース部は反りを有するとともに、上側取付部の上側取付面は、上側取付部の根元部側の表面、および、下側取付部の下側取付面に対して、所定の角度傾斜するように形成され、かつ、上側ケース部が下側ケース部に締結されることによって、所定の角度傾斜された上側取付面が下側取付面に当接された場合に、上側ケース部の反りが相殺される方向に上側ケース部が撓み変形されるように構成されている。
【００１２】
この一の局面による電子機器の筐体では、上記のように、上側ケース部が下側ケース部に締結されていない状態において、上側ケース部の上側取付部の上側取付面を、上側取付部の根元部側の表面、および、下側ケース部の下側取付部の下側取付面に対して、所定の角度傾斜するように形成し、かつ、上側ケース部が下側ケース部に締結されることによって、所定の角度傾斜された上側取付面が下側取付面に当接された場合に、上側ケース部の反りが相殺される方向に上側ケース部が撓み変形されるように構成することによって、上側取付部と下側取付部とが締結部材により締結されて、上側取付部の上側取付面が下側取付部の下側取付面に当接されるので、上側ケース部は反りが相殺される方向に撓み変形される。これにより、この電子機器の筐体では、上側ケース部が下側ケース部に締結されていない状態において、上側ケース部が上側に凸の反りを有する場合にも、上側ケース部を下側ケース部に締結することによって、上側ケース部の反りを極力小さくすることができる。
【００１３】
上記一の局面による電子機器の筐体において、好ましくは、上側ケース部の上側取付部は、上側ケース部の一方端部、および、上側ケース部の反りに対して一方端部の反対側の他方端部に、それぞれ少なくとも１つずつ配置されている。このように構成すれば、上側ケース部は、上側ケース部の一方端部側および他方端部側の両方側で、反りが相殺される方向に変形されるので、上側ケース部の反りをより小さくすることができる。
【００１４】
上記一の局面による電子機器の筐体において、好ましくは、下側取付部は、上側取付部の位置決めを行うための位置決め部を有する。このように構成すれば、上側取付部が容易に位置決めされるので、上側ケース部を下側ケース部に容易に締結させることができる。
【００１５】
上記一の局面による電子機器の筐体において、好ましくは、上側取付部および下側取付部は、それぞれ上側ケース部および下側ケース部に一体的に形成されている。このように構成すれば、上側ケース部および下側ケース部に、それぞれ上側取付部および下側取付部を別途設ける必要がないので、上側取付部および下側取付部を設けたとしても、部品点数が増加することを抑制することができる。
【００１６】
上記一の局面による電子機器の筐体において、好ましくは、締結部材は、ネジ部材を含む。このように構成すれば、上側ケース部の上側取付部と下側ケース部の下側取付部とを、締結作業が容易なネジ部材によって締結することができる。
【発明を実施するための最良の形態】
【００１７】
以下、本発明を具体化した実施形態を図面に基づいて説明する。
【００１８】
図１は、本発明の一実施形態による昇華型プリンタの筐体の全体構成を示した斜視図である。図２は、図１に示した本発明の一実施形態による昇華型プリンタの筐体と用紙カセットとを示した斜視図である。図３〜図７は、図１に示した本発明の一実施形態による昇華型プリンタの筐体の詳細構成を示した図である。図１〜図７を参照して、本発明の一実施形態による昇華型プリンタの筐体１の構成について説明する。なお、本実施形態では、電子機器の筐体の一例である昇華型プリンタの筐体１に本発明を適用した場合について説明する。
【００１９】
本発明の一実施形態による昇華型プリンタの筐体１は、図１に示すように、印字機能を有する装置本体３０が内部に配置される樹脂製の下側ケース部１０と、矢印Ｅ方向側から下側ケース部１０に取り付けられる樹脂製の上側ケース部２０とを備えている。なお、装置本体３０は、本発明の「電子機器本体」の一例である。
【００２０】
また、図１および図２に示すように、下側ケース部１０は、前面１０ａ（矢印Ｂ方向側の側面）に、用紙カセット６０（図２参照）を装着するように設けられた開口部１０ｂを閉塞可能に取り付けられた蓋１１を備えている。また、下側ケース部１０は、前面１０ａに加え、後面１０ｃ（矢印Ａ方向側の側面）、右側面１０ｄ（矢印Ｃ方向側の側面）、左側面１０ｅ（矢印Ｄ方向側の側面）および底面１０ｆ（矢印Ｆ方向側の面）によって、上側（矢印Ｅ方向側）が開放された箱型に形成されている。また、上側ケース部２０を取り付けるために、底面１０ｆの内側面の４つのコーナには、それぞれ１つずつ上側に突出する柱形状の下側取付部１２が一体的に設けられている。この柱形状の下側取付部１２は、内部が空洞化されており、底面１０ｆの外側面が開口している。これにより、下側ケース部１０の底面１０ｆの外側から後述するネジ７０を挿入することが可能である。なお、ネジ７０は、本発明の「締結部材」の一例である。
【００２１】
ここで、本実施形態では、図５および図７に示すように、下側取付部１２の上端部は、後述する上側ケース部２０の上側取付部２２の位置決めを行うための位置決め部１２ａが、凹形状に形成されている。また、図７に示すように、凹形状の位置決め部１２ａの底に配置され、上側取付部２２と下側取付部１２とがネジ７０によって締結された状態で、上側取付部２２が当接する下側当接面１２ｂは、下側ケース部１０が水平に設置された状態で、水平になるように形成されている。また、下側当接面１２ｂは、その中心部に、上側ケース部２０の上側取付部２２を下側取付部１２に締結するためのネジ７０の軸部７０ａが挿入される挿入孔１２ｃを有している。挿入孔１２ｃの直径の大きさは、ネジ７０の軸部７０ａの直径よりも大きく、かつ、ネジ７０の頭部７０ｂの直径よりも小さくなるように形成されている。これにより、挿入孔１２ｃの周囲の下側当接面１２ｂは、ネジ７０の締付力によって、上側取付部２２に当接される。なお、下側当接面１２ｂは、本発明の「下側取付面」の一例である。
【００２２】
また、図１〜図３に示すように、上側ケース部２０は、下側ケース部１０の上側の開放部を閉塞するように形成されており、上面２０ａ（矢印Ｅ方向側の面）、前面２０ｂ（矢印Ｂ方向側の側面）、後面２０ｃ（矢印Ａ方向側の側面）、右側面２０ｄ（矢印Ｃ方向側の側面）および左側面２０ｅ（矢印Ｄ方向側の側面）により構成されている。また、上側ケース部２０の前面２０ｂ、後面２０ｃ、右側面２０ｄおよび左側面２０ｅは、それぞれ、下側ケース部１０の前面１０ａ、後面１０ｃ、右側面１０ｄおよび左側面１０ｅに対向する位置に配置されている。また、上面２０ａには、装置本体３０の電源オン状態および電源オフ状態を切り替えることが可能な電源ボタン２１が配置されている。また、上面２０ａの内側面には、下側ケース部１０の４つの下側取付部１２に対向する位置に、下側に突出するようにボス形状の４つの上側取付部２２が一体的に形成されている。
【００２３】
また、図４に示すように、上側ケース部２０は、ネジ７０によって下側ケース部１０に締結されていない状態において、矢印Ｃ方向から見て、上側に凸状（矢印Ｇ方向）に反りを有している。また、上側ケース部２０の上側取付部２２は、上記のとおり下側取付部１２に対向する位置に配置することによって、上側ケース部２０の４つのコーナに配置されているので、上側取付部２２は、上側ケース部２０の一方端部（矢印Ａ方向側の端部）、および、上側ケース部２０の矢印Ｇ方向の反りに対して一方端部の反対側の他方端部（矢印Ｂ方向側の端部）に、それぞれ２つずつ配置されている。なお、この上側ケース部２０の矢印Ｇ方向の反りは、樹脂成形の特質上、製造者が意図していないにもかかわらず発生するものであるが、同一の製造条件下においては、同様の反りが発生される傾向にある。
【００２４】
また、本実施形態では、図５および図７に示すように、上側取付部２２には、ネジ７０の軸部７０ａが螺合可能なようにネジ山を有する挿入孔２２ａが形成されている。上側取付部２２は、挿入孔２２ａの縁部に、上側取付部２２と下側取付部１２とがネジ７０によって締結された状態で、下側取付部１２の下側当接面１２ｂに当接するように上側当接面２２ｂを有している。また、上側ケース部２０が下側ケース部１０に取り付けられていない状態において、上側当接面２２ｂは、水平に形成された下側当接面１２ｂ、および、上側取付部２２の根元部側の表面２２ｃに対して、所定の角度傾斜するように形成されている。具体的には、図４の矢印Ｂ方向側の上側取付部２２を示した図５において、根元部側の表面２２ｃの傾斜面Ｏ１が上側ケース部２０の矢印Ｇ方向の反りによって、矢印Ａ方向側が上側に傾斜されるように水平方向に対して時計方向にａの角度で傾斜している。この際、上側当接面２２ｂの傾斜面Ｏ２は、水平方向に対して時計方向にａの角度よりも大きなｂの角度で傾斜するように形成されている。すなわち、上側当接面２２ｂは、根元部側の表面２２ｃに対して、ｂとａとの差分値（ｂ−ａ）の角度で時計方向に傾斜している。また、下側取付部１２の下側当接面１２ｂは、水平に形成されているので、上側当接面２２ｂは、下側当接面１２ｂに対して、時計方向にｂの角度で傾斜している。なお、上側当接面２２ｂは、本発明の「上側取付面」の一例である。
【００２５】
図６および図７に示すように、上側ケース部２０が、ネジ７０によって下側ケース部１０に締結されている状態において、上側取付部２２の上側当接面２２ｂは、挿入孔２２ａのネジ山がネジ７０の軸部７０ａに螺合されて、締め付けられることによって、下側当接面１２ｂに当接されている。これにより、図７に示すように、根元部側の表面２２ｃは、矢印Ａ方向側が上側に傾斜されるのを下側に押し下げられるように、水平方向に対して反時計方向にｃの角度で傾斜されるように変形される。したがって、上側ケース部２０が下側ケース部１０に締結されることによって、上側ケース部２０は、矢印Ｇ方向の反りを相殺する方向に撓み変形される。すなわち、上側ケース部２０が下側ケース部１０に締結されていない状態において、上側当接面２２ｂは、水平に形成された下側当接面１２ｂ、および、上側取付部２２の根元部側の表面２２ｃに対して、所定の角度傾斜するように形成され、かつ、上側ケース部２０が下側ケース部１０に締結されることによって、所定の角度傾斜された上側当接面２２ｂが下側当接面１２ｂに当接された場合に、上側ケース部の矢印Ｇ方向の反りが相殺される方向に上側ケース部２０が撓み変形されるように構成されている。
【００２６】
また、図１に示すように、装置本体３０は、金属製のシャーシ３１と、印字を行うための印字ヘッド３２と、樹脂製の下部用紙ガイド３３と、樹脂製の上部用紙ガイド３４と、ゴム製の給紙ローラ３５と、給紙ローラギア３６と、ゴム製の排紙ローラ３７と、排紙ローラギア３８とを含んでいる。さらに、装置本体３０は、インクシート巻取リール３９と、板金製のモータブラケット４０と、用紙を搬送するためのステッピングモータ４１と、印字ヘッド３２を回動させるための駆動源となるステッピングモータ４２と、揺動可能な揺動ギア４３と、複数の中間ギア４４〜４６とを含んでいる。また、装置本体３０は、２０枚の用紙を印刷することが可能なインクシートが収納されたインクシートカートリッジ５０が着脱可能に装着されている。また、装置本体３０は、下側ケース部１０の開口部１０ｂから挿入される用紙カセット６０が着脱可能に構成されている。
【００２７】
図８および図９は、本発明の一実施形態による昇華型プリンタの筐体の上側ケース部を下側ケース部に取り付ける動作について説明するための図である。次に、図６〜図９を参照して、本発明の一実施形態による昇華型プリンタの筐体１の上側ケース部２０の下側ケース部１０への取り付け動作について説明する。
【００２８】
まず、図８に示すように、上側ケース部２０が下側ケース部１０に締結されていない状態において、上側ケース部２０が上側に凸状に反っているのを相殺するように、上側から下側に上側ケース部２０を押圧力Ｐにより押圧する。これにより、図９に示すように、上側取付部２２の上側当接面２２ｂが下側取付部１２の下側当接面１２ｂに当接される。この状態において、ネジ７０の軸部７０ａを上側取付部２２の挿入孔２２ａのネジ山に螺合させることによって、上側取付部２２を下側取付部１２に締結させる。これにより、図６および図７に示すように、上側取付部２２の上側当接面２２ｂが下側取付部１２の下側当接面１２ｂに当接された状態で、上側ケース部２０を下側ケース部１０に締結することができるので、根元部側の表面２２ｃが、水平方向に対して反時計方向にｃの角度で傾斜されて、矢印Ａ方向側が上側に傾斜されたのを下側に押し下げることが可能である。その結果、上側ケース部２０の矢印Ｇ方向の反りを極力小さくすることが可能である。
【００２９】
本実施形態では、上記のように、上側ケース部２０が下側ケース部１０に締結されていない状態において、上側ケース部２０の上側取付部２２の上側当接面２２ｂを、上側取付部２２の根元部側の表面２２ｃ、および、下側ケース部１０の下側取付部１２の下側当接面１２ｂに対して、所定の角度傾斜するように形成し、かつ、上側ケース部２０が下側ケース部１０に締結されることによって、所定の角度傾斜された上側当接面２２ｂが下側当接面１２ｂに当接された場合に、上側ケース部２０の反りが相殺される方向に上側ケース部２０が撓み変形されるように構成することによって、上側取付部２２と下側取付部１２とが締結部材により締結されて、上側取付部２２の上側当接面２２ｂが下側取付部１２の下側当接面１２ｂに当接されるので、上側ケース部２０は反りが相殺される方向に撓み変形される。これにより、この昇華型プリンタの筐体１では、上側ケース部２０が下側ケース部１０に締結されていない状態において、上側ケース部２０が上側に凸の反りを有する場合にも、上側ケース部２０を下側ケース部１０に締結することによって、上側ケース部２０の反りを極力小さくすることができる。
【００３０】
また、本実施形態では、上側ケース部２０の上側取付部２２を、上側ケース部２０の一方端部（矢印Ａ方向側の端部）、および、上側ケース部２０の反りに対して一方端部の反対側の他方端部（矢印Ｂ方向側の端部）に、それぞれ少なくとも１つずつ配置することによって、上側ケース部２０は、上側ケース部２０の一方端部側および他方端部側の両方側で、反りが相殺される方向に変形されるので、上側ケース部２０の反りをより小さくすることができる。
【００３１】
また、本実施形態では、上側取付部２２および下側取付部１２を、それぞれ上側ケース部２０および下側ケース部１０に一体的に形成することによって、上側ケース部２０および下側ケース部１０に、それぞれ上側取付部２２および下側取付部１２を別途設ける必要がないので、上側取付部２２および下側取付部１２を設けたとしても、部品点数が増加することを抑制することができる。
【００３２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３３】
たとえば、上記実施形態では、電子機器の筐体の一例として昇華型プリンタの筐体を示したが、本発明はこれに限らず、上側ケース部と下側ケース部とを備えた筐体であれば、昇華型プリンタの筐体以外の他の電子機器の筐体にも適用可能である。
【００３４】
また、上記実施形態では、上側ケース部が上側に凸状に反っている場合の例を示したが、本発明はこれに限らず、上側ケース部が下側に凸状に反っている場合にも適用可能である。その場合には、上側ケース部が下側ケース部に締結されていない状態において、上側当接面を、水平に形成された下側当接面、および、上側取付部の根元部側の表面に対して、上側当接面が下側当接面に当接された場合に上側ケース部が持ち上げられるように変形される方向に傾斜するように形成する。
【００３５】
また、上記実施形態では、上側ケース部が前後方向（矢印ＡおよびＢ方向）の断面に対して反っている例を示したが、本発明はこれに限らず、上側ケース部が左右方向（矢印ＣおよびＤ方向）の断面に対して反っている場合にも適用可能であるとともに、上側ケース部が前後方向および左右方向の両方向の断面に対して反っている場合にも適用可能である。
【００３６】
また、上記実施形態では、締結部材の一例としてネジを示したが、本発明はこれに限らず、上側取付部の上側取付面を下側取付部の下側取付面に当接させた状態で、上側ケース部を下側ケース部に締結させることが可能な締結部材であれば、ネジ以外の他の締結部材を用いてもよい。
【図面の簡単な説明】
【００３７】
【図１】本発明の一実施形態による昇華型プリンタの筐体の全体構成を示した斜視図である。
【図２】図１に示した本発明の一実施形態による昇華型プリンタの筐体と用紙カセットとを示した斜視図である。
【図３】図１に示した本発明の一実施形態による昇華型プリンタの筐体の上側ケース部の内側面を示した斜視図である。
【図４】図１に示した本発明の一実施形態による昇華型プリンタの筐体の上側ケース部が下側ケース部に締結されていない状態における、図２の１００−１００線に沿った断面図である。
【図５】図１に示した本発明の一実施形態による昇華型プリンタの筐体の上側取付部と下側取付部との締結部を示した断面図である。
【図６】図１に示した本発明の一実施形態による昇華型プリンタの筐体の上側ケース部が下側ケース部に締結された状態における、図２の１００−１００線に沿った断面図である。
【図７】図１に示した本発明の一実施形態による昇華型プリンタの筐体の上側取付部と下側取付部との締結部を示した断面図である。
【図８】図１に示した本発明の一実施形態による昇華型プリンタの筐体の上側ケース部が下側に押圧された状態における、図２の１００−１００線に沿った断面図である。
【図９】図１に示した本発明の一実施形態による昇華型プリンタの筐体の上側取付部と下側取付部との締結部を示した断面図である。
【符号の説明】
【００３８】
１        筐体
１０      下側ケース部
１２      下側取付部
１２ａ    位置決め部
１２ｂ    下側当接面（下側取付面）
２０      上側ケース部
２２      上側取付部
２２ｂ    上側当接面（上側取付面）
２２ｃ    表面
３０      装置本体（電子機器本体）
７０      ネジ（締結部材）
【図１】
2008294029.tif 000003
【図２】
2008294029.tif 000004
【図３】
2008294029.tif 000005
【図４】
2008294029.tif 000006
【図５】
2008294029.tif 000007
【図６】
2008294029.tif 000008
【図７】
2008294029.tif 000009
【図８】
2008294029.tif 000010
【図９】
2008294029.tif 000011